(57)【要約】【課題】引戸を閉じたときに竪枠がなくても施錠でき且つ防犯性が高い引戸サッシを提供する。【解決手段】本発明の引戸サッシ１において、錠ケース１７は引戸の幅方向の寸法Ｓが戸先側端の竪格子１６とその隣の竪格子１８との間隔寸法Ｗよりも大きく、両竪格子１６、１８に端部を呑み込ませて竪格子間に固定してあり、引戸の幅方向に貫通する固定ピン挿通孔３３、３４を有し、シリンダ及びサムターンは固定ピン挿通孔３５、３７を有し、固定ピンの長さは、引戸が施錠位置にあるときの戸先側竪格子の戸先側端１６ａと躯体５との間の間隔寸法Ｔよりも長く、錠ケース１７、シリンダ１９及びサムターン２１の固定ピン挿通孔に挿通してシリンダ及びサムターンを錠ケースに固定してあり、係止部材１５ａ、１５ｂはシリンダ１９又はサムターン２１の施解錠操作に連動して上レール７又は下レール９に設けた被係止部４７、５３に係脱する。【選択図】図１
2008008035.tif 000002
【特許請求の範囲】
【請求項１】
引戸と、錠ケースと、シリンダと、サムターンと、固定ピンと、係止部材とを備え、引戸は少なくとも戸先側端部に複数の竪格子を有し、錠ケースは引戸の幅方向の寸法が戸先側端の竪格子とその隣の竪格子との間隔寸法よりも大きく、両竪格子に端部を呑み込ませて竪格子間に固定したものであると共に、引戸の幅方向に貫通する固定ピン挿通孔を有し、シリンダ及びサムターンは錠ケースに取付けたものであると共に、引戸の幅方向に貫通する固定ピン挿通孔を有し、固定ピンは、引戸が施錠位置にあるときの戸先側竪格子の戸先側端と躯体との間の間隔寸法よりも長く、錠ケース、シリンダ及びサムターンの固定ピン挿通孔を挿通して両竪格子間に収まっており、シリンダ及びサムターンを錠ケースに固定するものであり、係止部材はシリンダ又はサムターンの施解錠操作に連動して上下動して引戸の上レール又は下レールに設けた被係止部に係脱するものであることを特徴とする引戸サッシ。
【発明の詳細な説明】
【技術分野】
【０００１】
本発明は、引戸サッシに関する。
【背景技術】
【０００２】
特許文献１には、シャッター扉の格子間に錠ケースを取付けて、錠の施解錠操作に連動する係止部材を、シャッター扉の移動を案内するレールに係止することが開示されている。この特許文献１では、錠ケースはシャッター扉の移動方向（幅方向）の寸法が格子間の寸法と略同じ寸法になっている。
特許文献２には、錠ケース、シリンダ及びサムターンの各々に引戸の幅方向に貫通する固定ピン挿通孔を設け、各固定ピン挿通孔に固定ピンを挿通して、錠ケースにシリンダとサムターンを固定することが開示されている。
【０００３】
【特許文献１】特開平９−１４４４５３号公報
【特許文献２】実用新案登録第３１１９８０６号公報
【発明の開示】
【発明が解決しようとする課題】
【０００４】
しかし、竪格子を有する引戸において、引戸の竪格子間に錠ケースを取付けるもの及び竪枠がなくても施錠できるようにした引戸は従来なかった。
仮に特許文献１のシャッター扉に代えて引戸の竪格子間に錠ケースを取付けた場合、錠ケースは引戸の幅方向の寸法が竪格子間と略同じ寸法であるから、不法侵入者が、錠ケースを竪格子に固定しているねじ等を外せば、竪格子間から錠ケースが外されるおそれがある。
特許文献２は、錠ケース、シリンダ及びサムターンの各々に設けた固定ピン挿通孔に固定ピンを挿通して、錠ケースにシリンダ及びサムターンを固定しているが、戸先側から固定ピンを引き抜かれるとシリンダを外すことが可能になり、シリンダを外した後、錠ケース内にドライバー等を差し込んで操作されるおそれがある。
【０００５】
本発明は、引戸を閉じたときに竪枠がなくても施錠でき且つ防犯性が高い引戸サッシの提供を目的とする。
【課題を解決するための手段】
【０００６】
請求項１に記載の発明は、引戸と、錠ケースと、シリンダと、サムターンと、固定ピンと、係止部材とを備え、引戸は少なくとも戸先側端部に複数の竪格子を有し、錠ケースは引戸の幅方向の寸法が戸先側端の竪格子とその隣の竪格子との間隔寸法よりも大きく、両竪格子に端部を呑み込ませて竪格子間に固定したものであると共に、引戸の幅方向に貫通する固定ピン挿通孔を有し、シリンダ及びサムターンは錠ケースに取付けたものであると共に、引戸の幅方向に貫通する固定ピン挿通孔を有し、固定ピンは、引戸が施錠位置にあるときの戸先側竪格子の戸先側端と躯体との間の間隔寸法よりも長く、錠ケース、シリンダ及びサムターンの固定ピン挿通孔を挿通して両竪格子間に収まっており、シリンダ及びサムターンを錠ケースに固定するものであり、係止部材はシリンダ又はサムターンの施解錠操作に連動して上下動して引戸の上レール又は下レールに設けた被係止部に係脱するものであることを特徴とする。
【発明の効果】
【０００７】
請求項１に記載の発明によれば、シリンダ又はサムターンの施解錠操作に連動して係止部材が引戸の上レール又は下レールに設けた被係止部に係脱するので、竪枠がなくても施錠できる。
竪格子間に固定した錠ケースは、戸先側端の竪格子とその隣の竪格子間に端部が竪格子に呑み込まれて固定してあり且つ竪格子間の間隔寸法よりも大きいので、錠ケースを竪格子に固定しているねじ等を外したとしても、竪格子を外さない限り錠ケースを外すことができないから、防犯性が高い。
仮に、錠ケースを竪格子間に取付けたまま、固定ピンを戸先側から引き抜いてシリンダを取り外そうとしても、固定ピンの長さは、引戸が施錠位置にあるときの戸先側端と、戸先側竪枠又は躯体との間の間隔寸法よりも長い為、引戸の施錠位置において固定ピンを抜くことができず、錠ケースからシリンダを取り外して錠ケース内を開錠操作することもできない。
【発明を実施するための最良の形態】
【０００８】
以下に、添付図面を参照して本発明の実施の形態を説明する。図１は本発明の実施の形態にかかる引戸サッシの戸先側部分を示す縦断面図であり、図２は錠の分解斜視図であり、図３の（ａ）は引戸を戸先側から見た側面図であり、（ｂ）は（ａ）のカバーを外した側面図であり、（ｃ）は図１のＡ−Ａ断面図であり、図４は錠ケース本体部の縦断面図であり、（ａ）は開錠状態を示し、（ｂ）は施錠状態を示す図であり、図５は図６に示す引戸サッシのＢ−Ｂ断面図であり、図６は本実施の形態にかかる引戸サッシの横断面図である。尚、図３（ｃ）に示すスペーサ４６は図２では省略している。
図５及び６に示すように、本実施の形態にかかる引戸サッシ３は、引き違いサッシであり、左右に躯体５、５を有しており、上部に引戸１の移動を案内する上レール７が設けてあり、下部に引戸１の下レール（振れ止めレール）９が設けてある。上レール７には引戸１に設けた戸車１１が係合して引戸１が吊り下げられている。本実施の形態では、引戸サッシ３には引戸１が３枚設けてあるが、屋内側と屋外側にある各引戸１が共に本実施の形態にかかる引戸であり且つ構成が同一であるから、以下の説明では屋内側にある引戸１について説明する。
図１及び図２に示すように、引戸サッシ３は、引戸１と、錠１４と、上係止部材１５ａと、下係止部材１５ｂとを備えている。引戸１は、間隔をあけて配置された複数の竪格子から構成されており、戸先側端に位置する竪格子（戸先側竪格子）１６とその隣に位置する竪格子（隣の竪格子）１８との間に錠１４が取付けてある。
錠１４は、錠ケース１７と、シリンダ１９と、サムターン２１と、固定ピン２３とを備えている（図２参照）。
錠ケース１７は、戸先側竪格子１６内に配置して上係止部材１５ａ及び下係止部材１５ｂを連結する係止部材連結部２５と、シリンダ１９及びサムターン２１の回動操作を係止部材連結部２５に伝達する本体部２７と、シリンダ１９を本体部２７に固定するシリンダ固定部２９と、サムターン２１を本体部２７に固定するサムターン固定部３１とを備えている。
シリンダ固定部２９は本体部２７の屋外側面に配置してあり、サムターン固定部３１は本体部２７の屋内側面に配置して本体部２７を挟んでねじ固定してある。
シリンダ固定部２９には、引戸１の幅方向に貫通する固定ピン挿通孔３３、３３が上下に２つ形成されており、サムターン固定部３１にも引戸１の幅方向に貫通する固定ピン挿通孔３４、３４が上下に２つ形成されている（図２及び図３（ｂ）参照）。
シリンダ１９及びサムターン２１は錠ケース１７の見付面に固定してあり、シリンダ１９の上部及び下部にも、各々引戸１の幅方向に貫通する固定ピン挿通孔３５、３５が形成されており、サムターン２１の上部及び下部にも、各々引戸１の幅方向に貫通する固定ピン挿通孔３７、３７が形成されている（図２及び図３（ｃ）参照）。
シリンダ固定部２９に形成された固定ピン挿通孔３３、３３は、シリンダ１９の固定ピン挿通孔３５、３５に対応する位置に設けてあり、サムターン固定部３１に形成された固定ピン挿通孔３４、３４は、サムターン２１の固定ピン挿通孔３７、３７に対応する位置に設けてある。
錠ケース１７の戸先側には、ねじ止め部３９が上下に設けてあり、ねじ止め部３９は戸先側竪格子１６の戸先側壁１６ａの裏面に配置して戸先側壁１６ａにねじ３６で固定している。
図２に示すように、戸先側竪格子１６の戸尻側壁１６ｂには錠ケースの挿入孔４１が形成してあり、戸尻側壁１６ｂから戸先側竪格子１６内に錠ケース１７を挿入している。隣の竪格子１８の戸先側壁１８ａには錠ケース１７の挿入孔４３が形成してあり、戸先側から錠ケース１７の戸尻側を挿入するようになっている。
錠ケース１７には戸尻側から装着するカバー４５が設けてあり、戸先側竪格子１６と隣の竪格子１８との間で錠ケース１７をカバー４５で隠している。
図１に示すように、錠ケース１７における引戸１の幅方向の寸法Ｈは、戸先側竪格子１６と隣の竪格子１８との間の間隔寸法Ｗよりも大きな寸法であり、錠ケース１７の戸先側は戸先側竪格子１６内に呑み込まれており、錠ケース１７の戸尻側は隣の竪格子１８内に呑み込まれている。
係止部材１５ａ、１５ｂは、錠ケース１７の係止部材連結部２５、２５（図４参照）に取付けたロッドであり、上係止部材１５ａは、上方に移動したときに上端が上レール７に設けてある被係止部４７に係止する。被係止部４７は孔であり、引戸１が施錠位置にあるときに戸先側竪格子１６と躯体４９との間に間隔寸法Ｔをあけた位置で止めている。
下係止部材１５ｂは、下方に移動したときに下レール９に設けてある被係止部５３に係止する。被係止部５３は下レール９の溝内に設けた移動規制部材である。
固定ピン２３ａ、２３ｂは、図２に示すように合計４本のピンであり、２つの固定ピン２３ａは、引戸１の戸先側から、錠ケース１７に設けた固定ピン挿通孔３３とシリンダ１９に設けた固定ピン挿通孔３５とに挿通し、２つの固定ピン２３ｂは、引戸１の戸先側から、錠ケース１７に設けた固定ピン挿通孔３４とサムターン２１に設けた固定ピン挿通孔３７に挿通して、錠ケース１７にシリンダ１９とサムターン２１とを固定している。
各固定ピン２３ａ、２３ｂの長さＳは、引戸１が施錠位置にあるときの戸先側竪格子１６と躯体４９との間に間隔寸法Ｔよりも長い寸法である（図１参照）。
【０００９】
次に、本実施の形態にかかる引戸１における錠１４の取付け、引戸サッシ３の作用及び効果について説明する。
引戸１における錠１４の取付けは、錠ケース１７を戸先側竪格子１６の戸尻側壁１６ｂに形成した挿入孔４１から挿入して、ねじ止め部３９を戸先側竪格子１６の戸先側壁１６ａに当て、戸先側からねじ３６をねじ込んで錠ケース１７を戸先側壁１６ａに固定し、錠ケース１７の本体部２７に戸尻側からカバー４５を被せる。その後、シリンダ１９及びサムターン２１を錠ケース１７に装着して、錠ケース１７の固定ピン挿通孔３３、３３とシリンダ１９の固定ピン挿通孔３５、３５に固定ピン２３ａ、２３ａを挿通し、錠ケース１７の固定ピン挿通孔３４、３４とサムターン２１の固定ピン挿通孔３７、３７とに固定ピン２３ｂ、２３ｂを各々挿通して、錠ケース１７にシリンダ１９及びサムターン２１を固定する。
次に、錠ケースの本体部２７とカバー４５の戸尻側を隣の竪格子１８の戸先側壁１８ａに設けた挿入孔４３に挿入して、隣の竪格子１８を引戸１に固定する。そして、戸先側竪格子１６の戸先側壁１６ａには、面板５０（図３（ａ）参照）を取付けて、錠ケース１７を隠す。
引戸１の施錠位置でシリンダ１９又はサムターン２１を施錠操作すると、図４に示すように、回動部材５９がスプリング６１の付勢力に抗して回動し、回動部材５９に係合している上スライダー５５が上方に移動し、回動部材５９に係合している下スライダー５７が下方に移動して、図１に示すように、上係止部材１５ａは上方に移動して上レール７の被係止部４７に係止し、同時に下係止部材１５ｂは下方に移動して、下レール９の被係止部５３に係止する。
引戸１の施錠位置では、引戸１の戸先側端（戸先側竪格子の戸先側壁）１６ａと躯体４９との間に間隔寸法Ｔをあけている。
本実施の形態によれば、シリンダ１９又はサムターン２１による施錠操作に連動して上係止部材１５ａが引戸１の上レール７に設けた被係止部４９に係止し、下係止部材１５ｂが下レール９の被係止部５３に係止するので、竪枠がなくても施錠できる。
錠ケース１７は戸先側竪格子１６とその隣の竪格子１８間に一部が竪格子１６、１８に呑み込まれて固定してあり且つ戸先側竪格子１６とその隣の竪格子１８間に固定した錠ケース１７の寸法Ｈは、竪格子１６、１８間の間隔寸法Ｗよりも大きくしているので、錠ケース１７を固定しているねじ３６を外したとしても、竪格子１６（又は１８）を引戸１から外さない限り竪格子１６、１８間から錠ケース１７を外すことができず、防犯性が高い。
また、錠ケース１７を竪格子１６、１８間に取付けたままシリンダ１９を外して錠ケース１７内を操作しようとしても、固定ピン２３ａ、２３ｂの長さＳは、引戸１が施錠位置にあるときの戸先側竪格子１６と躯体４９との間の間隔寸法Ｔよりも長い為、引戸１の施錠位置において固定ピン２３を抜くことができず、錠ケース１７からシリンダ１９を取り外して錠ケース１７内を操作することができない。
【００１０】
本発明は、上述した実施の形態に限らず、本発明の要旨を逸脱しない範囲で種々変形可能である。
例えば、上係止部材１５ａと下係止部材１５ｂとは必ずしも両方設ける必要がなく、上係止部材１５ａのみを上レールの被係止部４７に係止して施錠するものであってもよい。また、下レール９を引戸１の走行レールにして、下係止部材１５ｂのみを下レールに設けた被係止部に係止するものであってもよい。
固定ピン２３ａ、２３ｂは個々に独立のピンとしなくて良く、各固定ピン２３ａ、２３ｂの戸先側端を互いに連結してなるものや、一つの棒状部材をＵ字状に折り曲げて各端を固定ピンとするものであっても良い。
引戸サッシ３は、片引きサッシ、門、室内の間仕切り等であっても良い。
引戸１は、全部が竪格子で構成することに限らず、戸先側竪格子１６と隣の竪格子１８を除く残りの部分をパネルとしても良い。
【図面の簡単な説明】
【００１１】
【図１】本発明の実施の形態にかかる引戸サッシの戸先側部分を示す縦断面図である。
【図２】錠の分解斜視図である。
【図３】（ａ）は引戸を戸先側から見た側面図であり、（ｂ）は（ａ）のカバーを外した側面図であり、（ｃ）は図１のＡ−Ａ断面図である。
【図４】錠ケース本体部の縦断面図であり、（ａ）は開錠状態を示し、（ｂ）は施錠状態を示す図である。
【図５】図６に示す引戸サッシのＢ−Ｂ断面図である。
【図６】本実施の形態にかかる引戸サッシの横断面図である。
【符号の説明】
【００１２】
１      引戸
３      引戸サッシ
５      躯体
７      上レール
９      下レール
１５ａ  上係止部材（係止部材）
１５ｂ  下係止部材（係止部材）
１６    戸先側竪格子
１７    錠ケース
１８    隣の竪格子
１９    シリンダ
２１    サムターン
２３ａ、２３ｂ  固定ピン
３３    固定ピン挿通孔
３５    シリンダの固定ピン挿通孔
３７    サムターンの固定ピン挿通孔
４７    被係止部
５３    被係止部
Ｈ      錠ケースの寸法
Ｗ      戸先側竪格子と隣の竪格子との間隔寸法
Ｔ      施錠位置における戸先側端と躯体との間隔寸法
Ｓ      固定ピンの寸法
【図１】
2008008035.tif 000003
【図２】
2008008035.tif 000004
【図３】
2008008035.tif 000005
【図４】
2008008035.tif 000006
【図５】
2008008035.tif 000007
【図６】
2008008035.tif 000008